(57)【要約】      （修正有）【課題】隣接するテーブルの天板同士を簡単に接続できてこの接続状態を安定的に維持できると共に、テーブル前方に広告や宣伝などを表示することも可能となるテーブルを提供する。【解決手段】方形状の天板１の下方に、接地脚２が設けられているテーブルＡにおいて、前記天板１の左右両側縁部に、他のテーブルＡの天板１の左右両側縁部を着脱自在に接続可能な天板接続用ファスナー３が設けられ、天板１の前側縁部に、広告や宣伝などが表示されている表示部材４若しくは広告や宣伝などを表示可能な表示部材４を、この天板１の前側縁部より垂れ下げ状態にして着脱自在に取付可能な表示取付用ファスナー５が設けられている。【選択図】図２
0003205710.tif 000002
【実用新案登録請求の範囲】
【請求項１】
方形状の天板の下方に、接地脚が設けられているテーブルにおいて、前記天板の左右両側縁部に、他のテーブルの天板の左右両側縁部を着脱自在に接続可能な天板接続用ファスナーが設けられ、前記天板の前側縁部に、広告や宣伝などが表示されている表示部材若しくは広告や宣伝などを表示可能な表示部材を、この天板の前側縁部より垂れ下げ状態にして着脱自在に取付可能な表示取付用ファスナーが設けられていることを特徴とするテーブル。
【請求項２】
前記天板は、方形状の布製品で構成されており、この天板の左右両側縁部に前記天板接続用ファスナーが縫着されていると共に、天板の前側縁部に前記表示取付用ファスナーが縫着されていることを特徴とする請求項１記載のテーブル。
【請求項３】
前記天板接続用ファスナーは、線ファスナーが採用されていると共に、この線ファスナーが前記天板の左右両側縁部の全縁部に渡って設けられていることを特徴とする請求項１，２のいずれか１項に記載のテーブル。
【請求項４】
前記表示取付用ファスナーは、面ファスナーが採用されていると共に、この面ファスナーが前記天板の前側縁部の全縁部に渡って設けられていることを特徴とする請求項１〜３のいずれか１項に記載のテーブル。
【考案の詳細な説明】
【技術分野】
【０００１】
本考案は、アウトドアレジャーでの使用に適したテーブルに関するものである。
【背景技術】
【０００２】
従来から、キャンプなどのアウトドアレジャーで使用可能なテーブルが実施されている（例えば、特許文献１参照）。
【先行技術文献】
【特許文献】
【０００３】
【特許文献１】登録実用新案第３０１２７７０号公報
【考案の概要】
【考案が解決しようとする課題】
【０００４】
例えば、大人数でアウトドアレジャーを楽しむような場面では、大きなテーブル（天板）面積を確保するために、この種のアウトドア用テーブルが複数隙間なく並べられて使用されることも多い。
【０００５】
しかしながら、並べられたテーブルに人や物がぶつかると、簡単にテーブル同士が動いてテーブル間に隙間を生じてしまい、隙間なく並べられた状態を維持することが難しかった。
【０００６】
本考案は、このような問題点に注目し、これを解決しようとするもので、隣接するテーブルの天板同士を簡単に接続でき、これによりテーブル面積を拡大した状態を安定的に維持でき、加えてテーブル前方に広告や宣伝などを表示することも可能となる極めて実用性に優れたテーブルを提案するものである。
【課題を解決するための手段】
【０００７】
添付図面を参照して本考案の要旨を説明する。
【０００８】
方形状の天板１の下方に、接地脚２が設けられているテーブルＡにおいて、前記天板１の左右両側縁部に、他のテーブルＡの天板１の左右両側縁部を着脱自在に接続可能な天板接続用ファスナー３が設けられ、前記天板１の前側縁部に、広告や宣伝などが表示されている表示部材４若しくは広告や宣伝などを表示可能な表示部材４を、この天板１の前側縁部より垂れ下げ状態にして着脱自在に取付可能な表示取付用ファスナー５が設けられていることを特徴とするテーブルに係るものである。
【０００９】
また、前記天板１は、方形状の布製品で構成されており、この天板１の左右両側縁部に前記天板接続用ファスナー３が縫着されていると共に、天板１の前側縁部に前記表示取付用ファスナー５が縫着されていることを特徴とする請求項１記載のテーブルに係るものである。
【００１０】
また、前記天板接続用ファスナー３は、線ファスナー３が採用されていると共に、この線ファスナー３が前記天板１の左右両側縁部の全縁部に渡って設けられていることを特徴とする請求項１，２のいずれか１項に記載のテーブルに係るものである。
【００１１】
また、前記表示取付用ファスナー５は、面ファスナー５が採用されていると共に、この面ファスナー５が前記天板１の前側縁部の全縁部に渡って設けられていることを特徴とする請求項１〜３のいずれか１項に記載のテーブルに係るものである。
【考案の効果】
【００１２】
本考案は上述のように構成したから、天板面積を拡大したい場面で、天板の左右両側縁部に設けられている天板接続用ファスナーにより複数のテーブルの天板同士を接続してこの接続状態（テーブル面積拡大状態）を安定的に維持でき、しかも本考案は、表示取付用ファスナーを介して天板の前側縁部に広告や宣伝などが表示されている若しくは広告や宣伝などを表示可能な表示部材を垂れ下げ状態に取付けでき、広告・宣伝機能も発揮でき、天板の接続により大型の表示部材を表示することも容易に可能であるなど、極めて実用性に優れたテーブルとなる。
【００１３】
また、請求項２記載の考案においては、天板が布製品で構成されているため、軽量で携行性に優れアウトドアレジャーでの使用に適したテーブルとなると共に、天板接続用ファスナーと表示取付用ファスナーとが設けられる天板を簡易構成にして容易に設計実現可能となるなど、一層実用性に優れた構成のテーブルとなる。
【００１４】
また、請求項３記載の考案においては、天板同士を簡単な接続作業により確実に接続可能となる天板接続用ファスナーを、簡易構成にして容易に設計実現可能となる一層実用性に優れた構成のテーブルとなる。
【００１５】
また、請求項４記載の考案においては、表示部材を簡単な取付作業により確実に天板に取付可能となる表示取付用ファスナーを、簡易構成にして容易に設計実現可能となる一層実用性に優れた構成のテーブルとなる。
【図面の簡単な説明】
【００１６】
【図１】本実施例を示す斜視図である。
【図２】本実施例を示す、天板接続用ファスナーを介して三体のテーブルの天板が接続され、接続された天板に大型の表示部材を取付けようとする状態の斜視図である。
【図３】本実施例を示す、接続された天板に、表示取付用ファスナーを介して大型の表示部材が取付けられている状態の斜視図である。
【考案を実施するための形態】
【００１７】
好適と考える本考案の実施形態を、図面に基づいて本考案の作用を示して簡単に説明する。
【００１８】
本考案のテーブルＡは、単品でも使用可能であるが、天板１の左右両側縁部を、他のテーブルＡの天板１の左右両側縁部に隣接させて、この隣接する天板１同士を天板接続用ファスナー３により着脱自在に接続することができる（複数のテーブルＡを左右方向に並設状態に接続して大型化することができる。）。
【００１９】
従って、天板１の面積を拡大したい場面では、複数のテーブルＡの天板１同士を接続してこの天板１面積を容易に拡大可能であると共に、この天板１同士の接続状態が天板接続用ファスナー３による接続を解除しない限り維持されるので、テーブルＡ同士が簡単に離れてしまうことなく、天板１面積を拡大した状態が非常に安定的となる。
【００２０】
また、天板１には、その前側縁部に設けられている表示取付用ファスナー５に、広告や宣伝などが表示されている若しくは広告や宣伝などを表示可能な表示部材４を着脱自在に取付けると、この表示部材４が天板１の前側縁部より垂れ下げ状態にして取付けられることになる。
【００２１】
従って、本考案は、広告や宣伝などの目的でも使用可能であり、例えば、展示会の展示テーブルや競技大会の本部席用テーブルとして使用しながらスポンサー広告（表示部材４）を取付けたり、応援席用のテーブルとして使用しながら応援用横断幕（表示部材４）を取付けたりすることもでき、さらには天板１を接続することでより大型の表示部材４を取付け表示することも可能である。
【実施例】
【００２２】
本考案の具体的な実施例について図面に基づいて説明する。
【００２３】
本実施例のテーブルＡは、方形状の天板１の下方に、接地脚２が設けられている。
【００２４】
天板１は、図１に示すように、平面視長方形状の布製品から成るテーブル天幕６と、二本の金属製の天板フレーム７とから成り、テーブル天幕６の対向長辺部に設けられているスリーブ部８に天板フレーム６が内挿されている。
【００２５】
本実施例は、この天板１の長辺部の対向方向が前後方向、短辺部の対向方向が左右方向に構成されている。
【００２６】
接地脚２は、図１に示すように、前後左右の四隅に配した各支柱フレーム９の前後間及び左右間に、Ｘ字状の補強フレーム10が架設されて成る。
【００２７】
また、この接地脚２の各支柱フレーム９の上端部には、前記天板１の天板フレーム７に連結可能な連結部11が設けられている。
【００２８】
また、天板１と接地脚２との連結構造について説明すると、前記各連結部11に位置を対応させて前記テーブル天幕６のスリーブ部８の四箇所に切欠部分が設けられ、この各切欠部分から露出している前記天板フレーム７に前記各連結部11が連結されることにより、天板１の下方に接地脚２が設けられている。
【００２９】
本実施例は、前記天板１の左右両側縁部に、他のテーブルＡの天板１の左右両側縁部を着脱自在に接続可能な天板接続用ファスナー３が設けられている。
【００３０】
具体的には、前記天板接続用ファスナー３は、チャックやジッパーとも称される線ファスナー３（スライドファスナー）が採用されている。
【００３１】
更に詳しくは、線ファスナー３は一対の務歯付テープ13・14を備え、片方の務歯付テープ13が天板１を構成する前記テーブル天幕６の左側縁部にその全縁部に渡って縫着され、もう片方の務歯付テープ14がテーブル天幕６の右側縁部にその全縁部に渡って縫着され、この左右の務歯付テープ13・14のいずれか一方にスライダー15が装着されている（図面は務歯付テープ13にスライダー15が装着されている。）。
【００３２】
従って、天板１の左右両側縁部を、他のテーブルＡの天板１の左右両側縁部に隣接させて、この隣接する天板１同士を天板接続用ファスナー３により（前記スライダー15のスライド操作により）着脱自在に接続することができる（複数のテーブルＡを左右方向に並設接続して天板１面積を拡大することができる）ように構成されている（図２参照）。
【００３３】
尚、この天板接続用ファスナー３は、面ファスナーや点ファスナーが採用されていても良い。
【００３４】
また、本実施例では、前記天板１の前側縁部に、広告や宣伝などが直接表示されている表示部材４や、広告や宣伝などを後付けで表示可能な表示部材４を、この天板１の前側縁部より垂れ下げ状態にして着脱自在に取付可能な表示取付用ファスナー５が設けられている。
【００３５】
具体的には、この表示取付用ファスナー５は、マジックテープ（登録商標）やベルクロ（登録商標）と称される面ファスナー５が採用されており、例えばフックを有するこの面ファスナー５が、天板１を構成する前記テーブル天幕６の前側縁部のスリーブ部８に、その上面側に表出するようにして縫着されている。
【００３６】
また、この面ファスナー５は、前記天板１を構成するテーブル天幕６の前側縁部の略全縁部（スリーブ部８の前記切欠部分を除く略全縁部）に渡って帯状に設けられている。
【００３７】
尚、この表示取付用ファスナー５は、線ファスナーや点ファスナーが採用されていても良い。
【００３８】
また、ここで前記表示取付用ファスナー５によって取付けられる本実施例の表示部材４を説明すると、前記天板１の左右横幅と同等の横幅を有する横長方形状の布製品（横断幕）が採用され、この表示部材４の上縁部に、その全縁部に渡って前記面ファスナー５に係合止着可能なループを有する面ファスナー12が帯状に設けられ（縫着され）ている（実質的に面ファスー５と面ファスナー12とで一対の前記表示取付用ファスナー５が構成されている。）。尚、この面ファスナー５と面ファスナー12とは、フックとループの関係が逆であっても良い。
【００３９】
従って、表示取付用ファスナー５に、表示部材４上縁部（の面ファスナー12）を着脱自在に取付けでき、こうすることによりこの表示部材４が天板１の前側縁部より垂れ下げ状態で取付けられるように構成されている（図３参照）。
【００４０】
このように本実施例は、広告や宣伝などの目的でも使用可能であり、天板１を接続すれば、大型の表示部材４を取付け表示することも可能である（図２，図３参照）。
【００４１】
尚、本考案は、本実施例に限られるものではなく、各構成要件の具体的構成は適宜設計し得るものである。
【符号の説明】
【００４２】
１  天板
２  接地脚
３  天板接続用ファスナー・線ファスナー
４  表示部材
５  表示取付用ファスナー・面ファスナー
Ａ  テーブル
【図１】
0003205710.tif 000003
【図２】
0003205710.tif 000004
【図３】
0003205710.tif 000005